(57)【要約】本発明は、セラミック素体の破壊時における伝播の防止のための安全装置に係り、さらに詳しくは、セラミック素体の両面に接触する弾性端子が相対しないように角度を付け、前記セラミック素体の一方の端面の弾性端子がセラミック素体と接触しないように片脚なしに形成することにより、セラミック素体に過度な熱的ストレスが加わったり、外部からの異常電源により過電流が流れ込んでセラミック素体を維持できない力が加わったときに、前記セラミック素体が迅速に切断されるように誘導することから、迅速な回路遮断能があり、上部ケース内にセラミック素体を収納可能な空間を作り、前記空間内にセラミック素体を直立可能にするか、または、前記セラミック素体を絶縁体内に取り付けて絶縁体が弾性端子の接続力によりずれる力を支持してセラミック素体を直立可能に維持し、弾性端子を支持する上部ケースの両側に取り付けられる弾性端子に接触されるようにくさび部を上部ケースと一体に形成することにより、弾性端子を支持し、セラミック素体が取り付けられる上部ケースの両側の下部にケース突起が形成されてセラミック素体を直立可能に勾配をつけ、タップ端子と弾性端子がリベットまたは溶接により接続され、前記弾性端子に凹凸を形成することにより、弾性端子母材の弾性力を強化させて一層薄い弾性端子への取り替えが可能であって、コスト節減を図ることができる、セラミック素体の破壊時における伝播の防止のための安全装置に関する。【選択図】なし
2008508746.tif 000002
【特許請求の範囲】
【請求項１】
セラミック素体の破壊時における伝播の防止のための安全装置において、
弾性端子に接触されて固定支持するくさび部が一体に形成され、セラミック素体、タップ端子及び弾性端子が取り付けられて下部ケースと係合される上部ケースと、
前記上部ケースの中央に形成されて弾性端子の接続力によりずれる力を支持してセラミック素体を直立可能に維持する収納空間と、
前記収納空間内に取り付けられ、過度な熱的ストレスが加わったり、外部からの異常電源により過電流が流れ込んでセラミック素体を維持できない力が加わったとき、セラミック素体が容易に切断されるように誘導し、両面に導電剤が塗布されて電極が形成されて弾性端子を接触させる発熱特性を有するセラミック素体と、
前記セラミック素体の両面に接触して相対しないように形成され、タップ端子とリベットまたは溶接により接続されて過度な熱的ストレスや過度な電流によりセラミック素体が切断されるように誘導する弾性端子と、
前記上部ケース内に取り付けられ、弾性端子とリベットまたは溶接により接続されて電源を供給するタップ端子と、
前記上部ケース内に取り付けられるタップ端子と当接する位置に端子孔が形成されていて、上部ケースと係合される下部ケースと、を備えることを特徴とするセラミック素体の破壊時における伝播の防止のための安全装置。
【請求項２】
前記セラミック素体は、電気を加えると、ジュール熱により熱を生じる正温度係数サーミスタであることを特徴とする請求項１に記載のセラミック素体の破壊時における伝播の防止のための安全装置。
【請求項３】
前記上部ケース内にセラミック素体を収納して直立可能にした収納空間が上部ケースと一体に射出成形されてなることを特徴とする請求項１に記載のセラミック素体の破壊時における伝播の防止のための安全装置。
【請求項４】
前記弾性端子母材の弾性力を強化させてより薄い弾性端子に取り替え可能に、弾性端子に凹凸を形成していることを特徴とする請求項１に記載のセラミック素体の破壊時における伝播の防止のための安全装置。
【請求項５】
前記セラミック素体が挿入されて直立可能となるように勾配をつけた下部ケースの下端に形成されているケース突起をさらに備えることを特徴とする請求項１に記載のセラミック素体の破壊時における伝播の防止のための安全装置。
【請求項６】
前記セラミック素体を直立可能にするための絶縁体をさらに備えることを特徴とする請求項１に記載のセラミック素体の破壊時における伝播の防止のための安全装置。
【発明の詳細な説明】
【技術分野】
【０００１】
本発明は、セラミック素体の破壊時における伝播の防止のための安全装置に係り、さらに詳しくは、セラミック素体の両面に接触する弾性端子が相対しないように角度を付け、前記セラミック素体の一方の端面の弾性端子がセラミック素体と接触しないように片脚なしに形成することにより、セラミック素体に過度な熱的ストレスが加わったり、外部からの異常電源により過電流が流れ込んでセラミック素体を維持できない力が加わったときに、前記セラミック素体が迅速に切断されるように誘導することから、迅速な回路遮断能があり、上部ケース内にセラミック素体を収納可能な空間を作り、前記空間内にセラミック素体を直立可能にするか、または、前記セラミック素体を絶縁体内に取り付けて絶縁体が弾性端子の接続力によりずれる力を支持してセラミック素体を直立可能に維持し、弾性端子を支持する上部ケースの両側に取り付けられる弾性端子に接触されるようにくさび部を上部ケースと一体に形成することにより、弾性端子を支持し、安全装置の作動後も破壊されたセラミック片が上部ケースの内部に位置する収納空間の壁面に捕獲されることにより安定した回路切断性能を提供し、セラミック素体が取り付けられる上部ケースの両側の下部にケース突起が形成されてセラミック素体が直立可能となるように勾配をつけ、タップ端子と弾性端子がリベットまたは溶接により接続され、前記弾性端子に凹凸を形成することにより、弾性端子母材の弾性力を強化させて一層薄い弾性端子への取り替えが可能であって、コスト節減を図ることができる、セラミック素体の破壊時における伝播の防止のための安全装置に関する。
【背景技術】
【０００２】
通常、無接点起動リレイである正温度係数サーミスタ（ＰＴＣ：positive temperature coefficient thermistor）は、冷蔵庫やエアコンのコンプレッサーに取り付けられて起動を行う役割を果たす。外部からの異常電圧及び異常電流、若しくは、熱的なストレスが加わると破損が起こり、このとき、電流の持続的な流れ込みによって２次と３次の破壊が起こって、ＰＴＣの完全焼損と共に、これを取り囲む絶縁ケースが溶け、その結果、汚染物の発生及び火災が起こってしまう。前記ＰＴＣは、電気を加えると、ジュール熱により熱を生じるものであり、ニクロム線に代えうる安全な発熱体である。これは、極めて短時間に一定の電源による過度な電流が流れると、電気抵抗が自ら大きくなって電流を遮断する物性を有していることから、テレビのシャドウマスクにおける素子の用途や車両の予熱器、暖房機、レジャー温風機及び家庭のビデ、温水器、温水ヒーター、エアコン、冷蔵庫、補助加熱器などの構成部品として応用されている。また、生活周辺によく見られるものとして、ヘアードライヤーや衣類乾燥機に用いられることもある。
【０００３】
このため、従来のモーター起動用のＰＴＣは、熱的ストレスや異常電圧などの環境部分により破壊が起こり、電源が繰り返し印加される場合には２次と３次にかけて破壊が継続して起こるが、このときのＰＴＣ素子の両端に対向する端子と端子との間のＰＴＣ素子が回路的に接続されていて、ＰＴＣ素子の完全な破損が生じることになる。このような持続的な破壊を遮断するために、従来より行われている安全モードは、大韓民国公開特許第１９９７−７７３７９号公報、大韓民国公開実用新案第１９９８−２６１８７号公報及び大韓民国公開特許第２００１−２９５３２号公報に開示されている。これらの安全モードは、端子の対称性を通じて機構的な遮断を行うようにしているが、ＰＴＣサーミスタの特性から、不規則的に破壊されることが原因となって安全モードの成功率が下がる問題と、安全モードとしての動作時間が遅延する問題がある。このため、従来より行われている安全モードは、効率性に劣り、これを取り付けて用いる製品に対する使用上の満足度が極端に低下するという問題点が常に内在されているものである。
【０００４】
また、前記安全モードの他の形態は、ＵＳ６４０７６５９に開示されているが、前記安全モードは、ＰＴＣ素体が上部ケースの一部に触れる構造であって、別途の耐熱性が確保された材質を用いる必要があり、互いにずれる端子の設計のために、タブベースを用いる必要があるなど、別途のさらなる設計及び端子が必要になるという短所があり、バネ端子に凹凸処理が施されておらず、弾性強度を維持するために肉厚の母材を用いる必要があり、ＰＴＣ素体を対角線に沿って配列するために相対する第１、第２の弾性接点部により、そして、ＰＴＣの他の対角線に沿って配列するために相反する第１、第２の突出部により動かないように支持されており、第１の弾性接点部は、第２の位置の突出部からＰＴＣの外周部に向けて位置し、第２の弾性接点部は第１の位置の突出部からＰＴＣの内方に向けて位置していて、前記部品の組み立てが複雑であり、且つ、組み立て工数が多くて組み立て性に劣るという短所がある。
【０００５】
このため、セラミック素体に過度な熱的ストレスが加わったり、外部からの異常電源により過電流が流れ込んでセラミック素体を維持できない力が加わったとき、前記セラミック素体が迅速に切断されるように誘導することから、迅速な回路遮断能があり、絶縁体が弾性端子の接続力によりずれる力を支持してセラミック素体を直立可能に維持させ、弾性端子を支持し、セラミック素体が取り付けられる上部ケースの両側の下部にケース突起が形成されてセラミック素体を直立可能に勾配をつけ、弾性端子母材の弾性力を強化させてより薄い弾性端子への取り替えが可能であって、コストの節減を図ることができ、安全装置の動作後にも飛び散ったセラミック素体を上部ケース内の収納空間の壁面が捕捉して、安定した回路遮断能を持たせられる安全装置が望まれている。
【発明の開示】
【発明が解決しようとする課題】
【０００６】
そこで、本発明は、上記の問題点を解消するためのものであり、セラミック素体の両面に接触する弾性端子が相対しないように角度を付け、前記セラミック素体の一方の端面の弾性端子がセラミック素体と接触しないように片脚なしに形成することにより、セラミック素体に過度な熱的ストレスが加わったり、外部からの異常電源により過電流が流れ込んでセラミック素体を維持できない力が加わったときに、前記セラミック素体が迅速に切断されるように誘導することから、迅速な回路遮断能がある、セラミック素体の破壊時における伝播の防止のための安全装置を提供するところにその目的がある。
【０００７】
また、本発明の他の目的は、上部ケース内にセラミック素体を収納可能な空間を作り、前記空間内にセラミック素体を直立可能にするか、または、前記セラミック素体を絶縁体内に取り付けて絶縁体が弾性端子の接続力によりずれる力を支持してセラミック素体を直立可能に維持する、セラミック素体の破壊時における伝播の防止のための安全装置を提供することにある。
【０００８】
さらに、本発明のさらに他の目的は、弾性端子を支持する上部ケースの両側に取り付けられる弾性端子に接触されるようにくさび部を上部ケースと一体に形成することにより、弾性端子を支持する、セラミック素体の破壊時における伝播の防止のための安全装置を提供することにある。
【０００９】
さらに、本発明のさらに他の目的は、安全装置の動作後にも飛び散ったセラミック素体を上部ケース内の収納空間の壁面が捕捉して、安定した回路遮断能を持たせる、セラミック素体の破壊時における伝播の防止のための安全装置を提供することにある。
【００１０】
さらに、本発明のさらに他の目的は、セラミック素体が取り付けられる上部ケースの両側の下部にケース突起が形成されてセラミック素体を直立可能に勾配をつける、セラミック素体の破壊時における伝播の防止のための安全装置を提供することにある。
【００１１】
さらに、本発明のさらに他の目的は、タップ端子と弾性端子がリベットまたは溶接により接続され、前記弾性端子に凹凸を形成することにより、弾性端子母材の弾性力を強化させて一層薄い弾性端子への取り替えが可能であって、コスト節減を図ることができる、セラミック素体の破壊時における伝播の防止のための安全装置を提供することにある。
【課題を解決するための手段】
【００１２】
以下、添付図面に基づき、本発明によるセラミック素体の破壊時における伝播の防止のための安全装置を詳述する。
【００１３】
本発明を説明するに当たって、関連する公知の機能あるいは構成についての詳細な説明が本発明の要旨を余計に曖昧にすると認められる場合、その詳細な説明を省く。そして、後述する用語は、本発明における機能を考慮して設定された用語であって、これは、生産者の意図または慣例によって異なるため、その定義はこの明細書の全般に亘っての内容を元に下されるべきである。
【００１４】
上記目的を達成するために、本発明によるセラミック素体の破壊時における伝播の防止のための安全装置は、弾性端子に接触されて固定支持するくさび部が一体に形成され、セラミック素体、タップ端子及び弾性端子が取り付けられて下部ケースと係合される上部ケースと、前記上部ケースの中央に形成されて弾性端子の接続力によりずれる力を支持してセラミック素体を直立可能に維持する収納空間と、前記収納空間内に取り付けられ、過度な熱的ストレスが加わったり、外部からの異常電源により過電流が流れ込んでセラミック素体を維持できない力が加わったとき、セラミック素体が容易に切断されるように誘導し、両面に導電剤が塗布されて電極が形成されて弾性端子を接触させる発熱特性を有するセラミック素体と、前記セラミック素体の両面に接触して相対しないように形成され、タップ端子とリベットまたは溶接により接続されて過度な熱的ストレスや過度な電流によりセラミック素体が切断されるように誘導する弾性端子と、前記上部ケース内に取り付けられ、弾性端子とリベットまたは溶接により接続されて電源を供給するタップ端子と、前記上部ケース内に取り付けられるタップ端子と当接する位置に端子孔が形成されていて、上部ケースと係合される下部ケースと、を備えることを特徴とする。
【００１５】
また、前記本発明において、前記セラミック素体は、電気を加えると、ジュール熱により熱を生じる正温度係数サーミスタであることを特徴とする。
【００１６】
また、前記本発明において、前記上部ケース内にセラミック素体を収納して直立可能にした収納空間が上部ケースと一体に射出成形されてなることを特徴とする。
【００１７】
また、前記本発明において、前記弾性端子母材の弾性力を強化させてより薄い弾性端子に取り替え可能に、弾性端子に凹凸を形成していることを特徴とする。
【００１８】
また、前記本発明において、前記セラミック素体が挿入されて直立可能に勾配をつけた下部ケースの下端に形成されているケース突起をさらに備えることを特徴とする。
【００１９】
また、上記本発明において、前記セラミック素体を直立可能にするための絶縁体をさらに備えることを特徴とする。
【発明を実施するための最良の形態】
【００２０】
以下、本発明による実施の形態を添付図を参照してより詳しく説明する。
【００２１】
図１は、本発明の一実施の形態による安全装置の外観斜視図であり、図２は、本発明の一実施の形態による安全装置を構成する上部ケースに弾性端子、セラミック素体、タップ端子が取り付けられている状態の斜視図であり、図３は、本発明の他の実施の形態による安全装置を構成する下部ケースに弾性端子、絶縁体、セラミック素体、タップ端子が取り付けられている状態の斜視図であり、図４は、本発明の一実施の形態による安全装置において、下部ケースに上部ケースが係合されている状態の斜視図であり、図５は、本発明の一実施の形態による安全装置を構成する絶縁体の斜視図である。また、図６は、本発明の一実施の形態による安全装置を構成する弾性端子とタップ端子が結合されている状態の斜視図であり、図７は、本発明の一実施の形態による安全装置を構成するタップ端子の斜視図であり、図８は、本発明の一実施の形態による安全装置を構成する弾性端子の斜視図であり、図９は、本発明の一実施の形態による安全装置に形成されているくさび部と収納空間及びケース突起を示す断面図である。
【００２２】
図１乃至図９に示すように、セラミック素体の破壊時における伝播の防止のための安全装置１０は、下部ケース２０、上部ケース３０、セラミック素体４０、収納空間５０、絶縁体５１、弾性端子６０、接点部６１、タップ端子７０、ケース突起７１、リベット７２、凹凸７３、くさび部８０、凹溝８１及び端子孔８２を備える。
【００２３】
前記本発明によるセラミック素体の破壊時における伝播の防止のための安全装置を構成する技術的な手段を説明すると、下記の通りである。
【００２４】
前記下部ケース２０は、前記上部ケース３０内に取り付けられるタップ端子７０と当接する位置に端子孔８２が形成されており、上部ケース３０と係合される。ここで、下部ケース２０と上部ケース３０の材質は、１５０℃以上に耐えうる材質である。
【００２５】
前記上部ケース３０は、弾性端子６０に接触されて固定支持するくさび部８０が一体に形成され、セラミック素体４０、絶縁体５１、タップ端子７０及び弾性端子６０が取り付けられて下部ケース２０と係合されるものである。このとき、前記上部ケース３０の下端部を下部ケース２０で覆うと、前記上部ケース３０のくさび部８０が前記くさび部に対応付けられて形成されている下部ケース２０の端子孔８２により挿入されると共に、前記弾性端子６０と接続されたタップ端子７０の下端部が前記上部ケース３０の凹溝８１を介して外側に突出され、上記の組み立て・結合により前記弾性端子６０の接点部６１はセラミック素体４０の両端面に電気的に結合されて接点をなす。また、前記上部ケース内にセラミック素体４０を収納して直立可能にした収納空間５０が上部ケースと一体に射出成形されてなる。そして、前記セラミック素体４０が挿入されて直立可能に勾配をつけた上部ケース２０の下端にケース突起７１が形成される。
【００２６】
前記セラミック素体４０は、前記絶縁体内に取り付けられ、過度な熱的ストレスが加わったり、外部からの異常電源により過電流が流れ込んでセラミック素体を維持できない状態となったとき、セラミック素体の切断を誘導し、両端面に導電剤が塗布されて電極が形成されて弾性端子が接触する発熱特性を有するものである。ここで、セラミック素体４０は、電気を加えると、ジュール熱により熱を生じるＰＴＣである。上述のように、組み立て・結合が完了した状態において、前記上部ケース３０の外側に突出されて外部に接続されたタップ端子７０の下端部を介して外部の電流が流れ込むと、前記電流はタップ端子７０と電気的に接続された弾性端子６０にそのまま流れ込み、前記弾性端子６０を介して流れ込む電流は、セラミック素体４０に直接的に流れて、前記安全装置１０の上部ケース内の収納空間５０内に取り付けられているセラミック素体４０を発熱させる。
【００２７】
上記の安全装置１０は、正常の動作電流が流れ込む場合に安定的に電流が流れるが、前記セラミック素体４０の熱的ストレスによる素体の破壊が起きたり、外部からの異常電源により過電流が流れ込むと、素体の破壊による伝播の破壊が２次及び３次にかけて起こり、その結果、前記セラミック素体４０の伝播の破壊によって汚染物ができたり、火災が起こる。
【００２８】
上記の如き問題を解消するために、本発明は、外部に接続されるタップ端子７０と機械的に結合された弾性端子６０が機械・電気的にセラミック素体４０と結合されて接点をなす状態において、過電流の流れ込みなどの異常が生じるとき、セラミック素体４０がヒューズの役割を果たし、切断される。この目的のために、セラミック素体４０の両面に接触する弾性端子６０が相対しないように角度をもって形成される。上記の弾性端子６０に正常の動作電流が流れ込む場合に、安定的に電流が流れるが、前記セラミック素体４０の熱的ストレスによる素体の破壊が起こるか、あるいは、外部からの異常電源により過電流が流れ込むと、電気的なストレスを受け、このとき、前記セラミック素体４０が耐えうる許容電流値を超えて電流が流れ込むと、瞬時的にヒューズの機能を果たし、セラミック素体４０が切断されることになる。
【００２９】
このように、上記のセラミック素体４０が切断されると、前記セラミック素体４０の破壊時に起こる短絡性の過電流や外部から流れ込む過電流が電気回路上に開放されてそれ以上の電流が生じないと共に、素体の破壊による伝播破壊がそれ以上起こらず、全体として汚染物の発生や火災の発生などの問題を未然に防ぐことができる。また、安全装置１０の動作後にも飛び散ったセラミック素体４０を上部ケース内の収納空間５０の壁面が捕捉して、安定した回路遮断能を持たせることができる。
【００３０】
前記収納空間５０は、前記上部ケースの中央に形成されて弾性端子の接続力によりずれる力を支持してセラミック素体を直立可能に維持させ、前記上部ケース内にセラミック素体を収納して直立可能にしたものである。前記収納空間５０は上部ケースと一体に射出成形されてなる。
【００３１】
前記絶縁体５１は、前記上部ケース３０の中央に取り付けられて弾性端子６０の接続力によりずれる力を支持して、セラミック素体４０を直立可能に維持させるものであり、前記絶縁体５０は、雲母板製のものであることが最適であるが、プラスチックなどの絶縁性材料を用いてセラミック素体４０を直立可能にするものであっても構わない。
【００３２】
前記弾性端子６０は、前記セラミック素体４０の両面に接触して相対しないように形成され、タップ端子７０とリベット７２または溶接により接続されて過度な熱的ストレスや過度な電流により切断されるように誘導し、２次伝播を防ぐものである。ここで、弾性端子６０はステインレス鋼製のものであることが最適であるが、青銅、黄銅などの銅系の金属類であれば、制限なしに使用可能である。また、前記弾性端子６０の母材の弾性力を強化させて一層薄い弾性端子に取り替え可能となるように、弾性端子６０に凹凸７３が形成される。さらに、前記弾性端子６０には、図示略であるが、過電流の流込み時に切断されるようにヒューズの機能を行わせるために、前記タップ端子７０に接続された弾性端子６０の一側部に構造的に衰弱な部分を形成してもよく、前記衰弱部は角度をつけて、若しくは、丸めて形成することが最適であるが、これに限定されるものではなく、必要に応じて種々の形状に変形可能である。
【００３３】
前記タップ端子７０は前記上部ケース３０内に取り付けられ、弾性端子６０とリベット７２または溶接により接続されて電源を供給する。
【００３４】
このため、セラミック素体に過度な熱的ストレスが加わったり、外部からの異常電源により過電流が流れ込んでセラミック素体を維持できない力が加わったときに、前記セラミック素体が迅速に切断されるように誘導することから、迅速な回路遮断能がある。絶縁体は弾性端子の接続力によりずれる力を支持してセラミック素体を直立可能に維持し、弾性端子を支持する。セラミック素体が取り付けられる上部ケースの両側の下部にケース突起が形成されてセラミック素体を直立可能となるように勾配をつけ、弾性端子母材の弾性力を強化させて一層薄い弾性端子への取り替えが可能であって、コスト節減を図ることができ、安全装置の動作後にも飛び散ったセラミック素体を上部ケース内の収納空間の壁面が捕捉して、安定した回路遮断能をもたせることができる。
【００３５】
このＰＣＴサーミスタの特性を用いて、車両の予熱器、暖房機、レジャー温風機及び家庭のビデ、温水器、温水ヒーター、エアコン、冷蔵庫、補助加熱器などの電気発熱体を構成したときに理想的な効率が得られる。
【００３６】
なお、本発明を具体的な実施の形態を挙げて詳細に説明したが、本発明は上記の実施の形態に何ら限定されるものではなく、本発明の技術的な思想の範囲内において通常の知識をもった者にとって各種の変形が可能である。
【産業上の利用可能性】
【００３７】
上述のように、本発明は、セラミック素体の両面に接触する弾性端子が相対しないように角度を付け、前記セラミック素体の一方の端面の弾性端子がセラミック素体と接触しないように片脚なしに形成することにより、セラミック素体に過度な熱的ストレスが加わったり、外部からの異常電源により過電流が流れ込んでセラミック素体を維持できない力が加わったときに、前記セラミック素体が迅速に切断されるように誘導することから、迅速な回路遮断能がある。上部ケース内にセラミック素体を収納可能な空間を作り、前記空間内にセラミック素体を直立可能にするか、または、前記セラミック素体を絶縁体内に取り付けて絶縁体が弾性端子の接続力によりずれる力を支持してセラミック素体を直立可能に維持する。弾性端子を支持する上部ケースの両側に取り付けられる弾性端子に接触されるようにくさび部を上部ケースと一体に形成することにより、弾性端子を支持する。また、安全装置の動作後にも飛び散ったセラミック素体を上部ケース内の収納空間の壁面が捕捉して、安定した回路遮断能を提供する。セラミック素体が取り付けられる上部ケースの両側の下部にケース突起が形成されてセラミック素体が直立可能となるように勾配をつけ、タップ端子と弾性端子がリベットまたは溶接により接続され、前記弾性端子に凹凸を形成することにより、弾性端子母材の弾性力を強化させて一層薄い弾性端子への取り替えが可能であって、コスト節減を図ることができる。
【図面の簡単な説明】
【００３８】
【図１】本発明の一実施の形態による安全装置の外観斜視図。
【図２】本発明の一実施の形態による安全装置を構成する上部ケースに弾性端子、セラミック素体、タップ端子が取り付けられている状態の斜視図。
【図３】本発明の他の実施の形態による電子装置を構成する下部ケースに弾性端子、絶縁体、セラミック素体、タップ端子が取り付けられている状態の斜視図。
【図４】本発明の一実施の形態による安全装置において、下部ケースに上部ケースが係合されている状態の斜視図。
【図５】本発明の一実施の形態による電子装置を構成する絶縁体の斜視図。
【図６】本発明の一実施の形態による安全装置を構成する弾性端子とタップ端子が結合されている状態の斜視図。
【図７】本発明の一実施の形態による安全装置を構成するタップ端子の斜視図。
【図８】本発明の一実施の形態による安全装置を構成する弾性端子の斜視図。
【図９】本発明の一実施の形態による安全装置に形成されているくさび部と収納空間及びケース突起を示す断面図。
【図１】
2008508746.tif 000003
【図２】
2008508746.tif 000004
【図３】
2008508746.tif 000005
【図４】
2008508746.tif 000006
【図５】
2008508746.tif 000007
【図６】
2008508746.tif 000008
【図７】
2008508746.tif 000009
【図８】
2008508746.tif 000010
【図９】
2008508746.tif 000011
【国際調査報告】
2008508746.tif 000012
2008508746.tif 000013